(57)【要約】【課題】電動駆動方式の施解錠が円滑に行われることができると共に、電動駆動部を制御するためのスイッチの数も削減することができる電気錠を提供することを目的とする。【解決手段】ケーシング２と、ラッチ部材６と、手動操作部４１と、第１の突起５５２が設けられ手動操作部４１と連結して第１の位置と第２の位置との間を回動可能に設けられた第１の回動子５５と、第２の突起５６５が設けられ第１の回動方向に回動して第２の突起５６５で第１の突起５５２を押すことで第１の回動子５５を第１の位置から第２の位置に移動させ、また、第１の回動方向の反対方向に回動し、第２の突起５６５で第１の突起５５２を押すことで第１の回動子５５を第２の位置から第１の位置に戻すことができるように設けられた第２の回動子５６と、第２の回動子の回動を駆動できるように設けられた電動駆動部８とを電気錠に備える。【選択図】図２
2007315119.tif 000002
【特許請求の範囲】
【請求項１】
内部に収容空間を有する上、該収容空間と連通する穿孔が形成されているケーシングと、
前記収容空間内に施錠位置と解錠位置との間に移動可能に配置構成されているラッチ部材と、
前記穿孔を通して前記収容空間内に前記ラッチ部材と連結するように挿入されており、回動により前記ラッチ部材を前記施錠位置に移動させる第１の位置と前記ラッチ部材を前記解錠位置に移動させる第２の位置との間を回動可能に配置構成されている手動操作部と、
第１の突起が設けられており、且つ、前記ケーシングの前記収容空間内に前記手動操作部と連結して前記手動操作部と共に前記第１の位置と前記第２の位置との間を回動可能に配置構成されている第１の回動子と、
第２の突起が設けられており、且つ、前記ケーシングの前記収容空間内に前記ケーシングに対して第１の回動方向に回動して前記第２の突起で前記第１の突起を押すことにより前記第１の回動子を前記第１の位置から前記第２の位置に移動させ、また、前記第１の回動方向の反対方向である第２の回動方向に回動して前記第２の突起で前記第１の突起を押すことにより前記第１の回動子を前記第２の位置から前記第１の位置に戻すことができるように配置構成されている第２の回動子と、
前記ケーシングの前記収容空間内に前記第２の回動子の回動を駆動することができるように配置構成されている電動駆動部とを備えたことを特徴とする電気錠。
【請求項２】
前記第１の回動子は、前記手動操作部と共に前記第１の位置と前記第２の位置との間を回動させることができるように前記手動操作部に外嵌するリングを有し、
また、前記第１の突起は、前記リングから径方向に外へ突出するように設けられていることを特徴とする請求項１に記載の電気錠。
【請求項３】
前記第１の回動子の前記リングの内周面には、それぞれ外周面の方へ窪んで互いに対向する２つの切欠部が設けられており、
また、前記手動操作部は、それぞれ回動の軸線方向に沿って延伸して前記２つの切欠部のそれぞれと係合するように設置されている２つのアームを有することを特徴とする請求項２に記載の電気錠。
【請求項４】
前記第２の回動子は、歯車が前記手動操作部の外周に回動可能に設けられており、
また、前記第２の突起は、前記歯車から前記第１の回動子の方向へ突出していることを特徴とする請求項１〜３のいずれか１項に記載の電気錠。
【請求項５】
前記第１の突起は、変形可能な材料からなり、弧状になった部分を有するように形成されていることを特徴とする請求項１〜４のいずれか１項に記載の電気錠。
【請求項６】
前記第２の突起は、台形形状であることを特徴とする請求項１〜５のいずれか１項に記載の電気錠。
【請求項７】
前記ケーシングは、内部分と外部分の２部分からなっており、前記穿孔は前記内部分に形成されている第１の穿孔と、前記外部分に前記第１の穿孔に対応し、且つ、前記収容空間と連通するように形成されている第２の穿孔とからなっており、
前記ケーシングの外部分に、ロック部材が、前記第２の穿孔を通して前記収容空間内に前記ラッチ部材と連結するように挿入されている上、操作により前記ラッチ部材を前記施錠位置と前記解錠位置との間を移動させることができるように配置構成されていることを特徴とする請求項１〜６のいずれか１項に記載の電気錠。
【請求項８】
前記ケーシングの外部分に、該外部分に対して回動可能に設けられているハンドルを備え、前記ラッチ部材が前記解錠位置にある時、前記ハンドルが操作可能な状態になり、前記ラッチ部材が前記施錠位置にある時、前記ハンドルが操作不能な状態になるように配置構成されていることを特徴とする請求項７に記載の電気錠。
【請求項９】
前記第１の回動子が前記第１の位置から前記第２の位置に、又は、前記第２の位置から前記第１の位置に移動すると、前記電動駆動部の駆動を停止するように構成されているスイッチ部材を備えたことを特徴とする請求項１〜８のいずれか１項に記載の電気錠。
【請求項１０】
前記スイッチ部材は、一旦始動させられると、前記電動駆動部の駆動を停止するように前記電動駆動部に電気接続されているセンシング素子と、
前記第１の回動子に設けられており、前記第１の回動子が前記第２の位置に移動すると、前記センシング素子を始動させることができるように配置構成されている第１のアクチュエータと、
前記第１の回動子に設けられており、前記第１の回動子が前記第１の位置に移動すると、前記センシング素子を始動させることができるように配置構成されている第２のアクチュエータとを有することを特徴とする請求項９に記載の電気錠。
【発明の詳細な説明】
【技術分野】
【０００１】
本発明は、電気錠に関し、特にその施解錠が電気駆動方式及び手動操作方式の両方で可能な電気錠に関する。
【背景技術】
【０００２】
従来の電気錠の一例として、例えば特許文献１に開示されている電気錠は、図７に示すように、概ねケーシング（図示せず）と、ケーシング内に施錠位置と解錠位置との間を移動可能に配置構成されているラッチ部材（図示せず）と、操作部１４と、第１の回動子１６と、電動駆動部１５と、第２の回動子１７とにより構成されている。
【０００３】
操作部１４は、ケーシング内にラッチ部材と連結するように挿入されており、回動によりラッチ部材を施錠位置に移動させる第１の位置と、ラッチ部材を解錠位置に移動させる第２の位置との間を移動可能に配置構成されている。
【０００４】
第１の回動子１６としては、歯車がケーシング内で操作部１４と連結して、操作部１４と共に第１の位置と第２の位置との間を回動可能に配置構成されている。
【０００５】
電動駆動部１５は、リモコンなど（図示せず）に制御されて作動するモーター１５１と、モーター１５１の回転軸１５１Ａに設けられたウォームギア対１５２Ａ、１５２Ｂと、２つのスイッチ１５３、１５４とからなっている。
【０００６】
第２の回動子１７としては、伝動ギアがウォームギア対１５２Ａ、１５２Ｂのうちのウォームホイール１５２Ｂにそれと同時に回転可能に設けられている。
【０００７】
図７は、操作部１４が第１の位置にあって、この電気錠が施錠状態になっている状態を示す。この状態においては、第１の回動子１６と第２の回動子１７とが互いに噛み合っていないので、手動による外部からの反時計回りの回動操作により操作部１４を第１の位置から第２の位置に移動させて、解錠を行うことができる。
【０００８】
また、施錠を行う場合、手動による外部から時計回りの回動操作により操作部１４を第２の位置から第１の位置に移動させれば済む。
【０００９】
一方、同じく図７に示すように第１の回動子１６と第２の回動子１７とが噛み合っていない状態において、リモコンなどの制御で電気駆動方式により解錠が行われる場合、まずモーター１５１が作動し、このモーター１５１の回転と共に第２の回動子１７が第１の回動子１６と噛み合う。すなわち、モーター１５１の回転によりウォームギア対１５２Ａ、１５２Ｂ及び第２の回動子１７を順次に介して第１の回動子１６を回動させ、それにより、操作部１４を第１の回動子１６と共に第１の位置から第２の位置に移動させて、解錠が完了する。このとき、スイッチ１５４が始動させられて第２の回動子１７と第１の回動子１６とを離脱させ、モーター１５１の作動を停止させる。
【００１０】
また、電気駆動方式により施錠が行われる場合、モーター１５１の回転により操作部１４を第１の回動子１６と共に第２の位置から第１の位置に移動させて、施錠が完了する。このとき、スイッチ１５３が始動させられて第２の回動子１７と第１の回動子１６とを離脱させ、モーター１５１の作動を停止させる。
【００１１】
【特許文献１】米国特許出願公開第２００４／０２４５７８５号明細書
【発明の開示】
【発明が解決しようとする課題】
【００１２】
前述の従来の電気錠においては、次の手動操作をスムーズに進ませるために、第２の回動子１７と第１の回動子１６とを常時に互いに離脱させている。そして、電気駆動方式により施解錠しようとする場合に、初めて第２の回動子１７と第１の回動子１６とを噛み合わせる。
【００１３】
しかしながら、第２の回動子１７としての伝動ギアと第１の回動子１６としての歯車においてそれぞれの歯が所定の厚さを有するため、それらが極めて精度よく配置されないと、電動駆動時の離脱状態と噛み合い状態との間の切り替え、またそれらによる施解錠も円滑に行われなくなる恐れがある。
【００１４】
また、前述の従来の電気錠においては、スイッチ１５３、１５４を２つ設けなければならないこともその欠点である。
【００１５】
本発明は、前記問題点を改善すべくなされたものであり、電動駆動方式の施解錠が円滑に行われる共に、電動駆動部を制御するためのスイッチの数を低減させることのできる電気錠を提供することを目的とする。
【課題を解決するための手段】
【００１６】
かかる目的を達成すべく、本発明の電気錠は、内部に収容空間を有する上、該収容空間と連通する穿孔が形成されているケーシングと、前記収容空間内に施錠位置と解錠位置との間に移動可能に配置構成されているラッチ部材と、前記穿孔を通して前記収容空間内に前記ラッチ部材と連結するように挿入されており、回動により前記ラッチ部材を前記施錠位置に移動させる第１の位置と前記ラッチ部材を前記解錠位置に移動させる第２の位置との間を回動可能に配置構成されている手動操作部と、  第１の突起が設けられており、且つ、前記ケーシングの前記収容空間内に前記手動操作部と連結して前記手動操作部と共に前記第１の位置と前記第２の位置との間を回動可能に配置構成されている第１の回動子と、第２の突起が設けられており、且つ、前記ケーシングの前記収容空間内に前記ケーシングに対して第１の回動方向に回動して前記第２の突起で前記第１の突起を押すことにより前記第１の回動子を前記第１の位置から前記第２の位置に移動させ、また、前記第１の回動方向の反対方向である第２の回動方向に回動して前記第２の突起で前記第１の突起を押すことにより前記第１の回動子を前記第２の位置から前記第１の位置に戻すことができるように配置構成されている第２の回動子と、前記ケーシングの前記収容空間内に前記第２の回動子の回動を駆動することができるように配置構成されている電動駆動部とを備えることを特徴とする。
【００１７】
また、上記の電気錠において一旦始動させられると、前記電動駆動部の駆動を停止するように前記電動駆動部に電気接続されているセンシング素子と、前記第１の回動子に設けられており、前記第１の回動子が前記第２の位置に移動すると、前記センシング素子を始動させることができるように配置構成されている第１のアクチュエータと、前記第１の回動子に設けられており、前記第１の回動子が前記第１の位置に移動すると、前記センシング素子を始動させることができるように配置構成されている第２のアクチュエータとを有することを特徴とする。
【発明の効果】
【００１８】
本発明によれば、電気駆動方式により施解錠が行われるとき、第２の回動子が反対方向に回動して第２の突起で第１の回動子の第１の突起を押すので、それぞれ第１の回動子を第１の位置から第２の位置に移動させることができる。また第２の位置から第１の位置に戻すように施解錠が行われるので、第１の回動子と第２の回動子とが離脱状態と噛み合い状態との間の切り替えが行われず、電動駆動方式の施解錠を円滑に行うことができる。
【００１９】
また、例えば本発明によれば、電動駆動部を制御するためのスイッチとしてスイッチ部材を一つだけ設ければよいので、電気錠の構成を簡略化することができる。
【発明を実施するための最良の形態】
【００２０】
以下、図面を参照しつつ本発明にかかる電気錠の好適な実施形態を説明する。図１は、本実施形態の電気錠の分解斜視図である。図２は、第１の回動子と第２の回動子を中心とした部分の分解斜視図である。図３は、解錠状態を示す内部正面図である。図４は、解錠状態から電気駆動方式による施錠途中の状態を示す内部正面図である。図５は、電気駆動方式による施錠完成状態を示す内部正面図である。図６は、施錠状態から電気駆動方式による解錠途中の状態を示す内部正面図である。
【００２１】
図１に示すように、この電気錠は、例えばドアに取り付けられて、電気駆動方式及び手動操作方式の両方で施解錠を行うことができるものであって、主としてケーシング２と、ラッチ部材６と、手動操作部４１と、第１の回動子５５と、第２の回動子５６と、電動駆動部８と、スイッチ部材９とを備えている。
【００２２】
ケーシング２は、それぞれ例えばドアパネル（図示せず）の内外２面にそれぞれ取り付けられる内外２部分２１、２２からなっている。ケーシング２の内部分２１は、基壁２１１と、基壁２１１と合せて収容空間２１３を形成するように基壁２１１の周縁から延伸する側壁２１２とを有する。内部分２１の基壁２１１には、軸線Ｃを有する取付孔としての第１の穿孔２１４が収容空間２１３と連通するように形成されている。また、ケーシング２の外部分２２には、第１の穿孔２１４に対応し、且つ、収容空間２１３と連通する取付孔としての第２の穿孔２２０が形成されている。
【００２３】
ケーシング２の内部分２１には、更に第１の取っ手３１が内部分２１に対して回動可能に設けられている。第１の取っ手３１は、第１の穿孔２１４を通して収容空間２１３内に回動可能に挿入される中空のシリンダー３１１と、シリンダー３１１と連結したハンドル３１２とを有する。
【００２４】
ケーシング２の外部分２２には、更に第２の取っ手３２が外部分２２に対して回動可能に設けられている。第２の取っ手３２は、第２の穿孔２２０を通して外部分２２内に回動可能に挿入される中空のシリンダー３２１と、シリンダー３２１と連結したハンドル３２２とを有する。
【００２５】
ラッチ部材６は、２つのラッチ板６１を有する上、第２の穿孔２２０の付近に施錠位置（図５参照）と解錠位置（図３参照）との間を移動可能にケーシング２の外部分２２内に配置構成されている。
【００２６】
ケーシング２の外部分２２における第２の穿孔２２０を取り囲んだ内壁に、互いに対向する２つの係合溝２２２が形成されている。また、第２の取っ手３２のシリンダー３２１には、互いに対向する２つの係合孔３２０が形成されている。
【００２７】
２つのラッチ板６１は、後述する操作ロッド７が挿入される略Ｌ字状のカム孔を有する。ラッチ部材６が施錠位置にある時、２つのラッチ板６１は、操作ロッド７の回転とカム孔との作用によりそれぞれ軸線Ｃに対して径方向に外へ突出して各係合孔３２０に係合する上、各係合溝２２２に係合することにより、第２の取っ手３２を操作不能な状態とする。また、ラッチ部材６が解錠位置にある時、２つのラッチ板６１は、操作ロッド７の回転とカム孔との作用によりそれぞれ軸線Ｃに対して径方向に内へ退避して各係合孔３２０との係合が解除される上、各係合溝２２２との係合が解除されることにより、第２の取っ手３２を操作可能な状態とする。
【００２８】
なお、第１の取っ手３１は、ラッチ部材６の２つのラッチ板６１が解錠位置や施錠位置にあるにもかかわらず、常に操作可能な状態になるように配置構成されている。
【００２９】
また、軸線Ｃ方向に沿う操作ロッド７がラッチ部材６の２つのラッチ板６１を貫通するように配置されている。この操作ロッド７は、ケーシング２の内外２部分２１、２２に対して、ラッチ部材６を施錠位置に移動させる第１の位置（図５参照）とラッチ部材６を解錠位置に移動させる第２の位置（図３参照）との間を回動可能に設けられている。この実施形態において、第２の位置は第１の位置から９０°ずれて設定されている。
【００３０】
手動操作部４１は、一端４１２がケーシング２の内部分２１外に露出し、他端４１１が第１の穿孔２１４を通してシリンダー３１１を挿通しながら操作ロッド７の一端７１と連結するように収容空間２１３内に挿入されている上、操作ロッド７と共に第１の位置と第２の位置との間を回動可能にケーシング２の内部分２１に配置構成されている。手動操作部４１の他端４１１には、それぞれ収容空間２１３内に軸線Ｃに沿って延伸する２つのアーム４１５が設けられている。
【００３１】
ケーシング２の外部分２２内に挿入されている第２の取っ手３２のシリンダー３２１内に、更にロック部材４２が挿設されている。ロック部材４２は操作ロッド７の他端７２と連結し、操作ロッド７を介してラッチ部材６と連係する。また、このロック部材４２は、鍵穴４２０に挿入される鍵（図示せず）の操作により操作ロッド７を第１の位置と第２の位置との間を回動させることができるように構成されている。
【００３２】
図２に示すように、第１の回動子５５は、手動操作部４１と共に第１の位置と第２の位置との間を回動させることができるように手動操作部４１の他端４１１に外嵌するリング５５１を有する。リング５５１には、変形可能な材料からなり、弧状になった部分５５９を有する断面略半円形状に形成されている第１の突起５５２が径方向に外へ突出するように設けられている。リング５５１の内周面５５１Ａには、それぞれ外周面５５１Ｂの方へ窪んで互いに対向する２つの切欠部５５０が設けられている。リング５５１の手動操作部４１に対する外嵌は、この２つの切欠部５５０が２つのアーム４１５のそれぞれと係合することによりなされている。
【００３３】
第２の回動子５６としては、収容空間２１３内で歯車が手動操作部４１の他端４１１の外周に同軸上に回動可能に設けられている。歯車には第１の回動子５５の方向へ突出する第２の突起５６５が設けられている。第２の突起５６５は一組の側辺５６５ａ、５６５ｂを斜面とする台形形状となっている。
【００３４】
第２の回動子５６は、ケーシング２に対して第１の回動方向（図５、６における矢印Ｂ方向）に回動して第２の突起５６５で第１の突起５５２を押すことにより第１の回動子５５を第１の位置から第２の位置に移動させ、また、第１の回動方向の反対方向である第２の回動方向（図３、４における矢印Ａ方向）に回動して第２の突起５６５で第１の突起５５２を押すことにより第１の回動子５５を第２の位置から第１の位置に戻すことができるように配置構成されている。
【００３５】
電動駆動部８は、回転軸８１１を有するモーター８１と、モーター８１の回転軸８１１と第２の回動子５６との間に設けられたウォームギア対８２、８３と、第２の回動子５６と噛み合っており、且つ、ウォームギア対８２、８３のうちのウォームホイール８３と同期に回転するように設置されている伝動ギア８４とからなっている。すなわち、電動駆動部８は、収容空間２１３内で第２の回動子５６の回動を駆動することができるように配置構成されている。なお、この電動駆動部８は、更に、リモコン（図示せず）、キーパッド８５１などに制御されて駆動、停止することができるようになっている。
【００３６】
スイッチ部材９は、センシング素子９１と、第１のアクチュエータ９２と、第２のアクチュエータ９３とを有する上、第１の回動子５５が第１の位置から第２の位置に、又は、第２の位置から第１の位置に移動すると、電動駆動部８の作動を停止するように構成されている。
【００３７】
センシング素子９１としては、例えば微動スイッチが使用されており、ケーシング２の外部分２１内に配置された回路基板９４に装着されている。センシング素子９１は、一旦始動させられると、電動駆動部８の作動を停止するように電動駆動部８に電気接続されている。
【００３８】
第１のアクチュエータ９２は、第１の回動子５５に第１の突起５５２から９０°ずれるように設けられており、第１の回動子５５が第２の位置に移動すると、センシング素子９１を始動させることができるように配置構成されている。また、第２のアクチュエータ９３は、第１の回動子５５に第１のアクチュエータ９２から９０°、且つ、第１の突起５５２から１８０°ずれるように設けられており、第１の回動子５５が第１の位置に移動すると、センシング素子９１を始動させることができるように配置構成されている。
【００３９】
次に、本実施形態の電気錠の動作を説明する。図３に示すように、ラッチ部材６が解錠位置にある状態においては、第２の取っ手３２は操作可能な状態になっている。この状態では、手動操作部４１による手動操作方式により第２の取っ手３２を操作不能な状態にさせようとする場合、手動操作部４１のケーシング２外に露出する一端４１２を掴んで直接に手動操作部４１を第２の位置から図５に示す第１の位置に回動させればよい。このようにして、操作ロッド７が手動操作部４１と共に第２の位置（図３参照）から第１の位置（図５参照）に回動してラッチ部材６を解錠位置から施錠位置に移動させることができるので、第２の取っ手３２が操作不能な状態となる。更に、このラッチ部材６が施錠位置にある状態においては、手動操作部４１による手動操作方式により第２の取っ手３２を操作可能な状態にさせようとする場合、手動操作部４１を第１の位置から図３に示す第２の位置に戻せばよい。このようにして、操作ロッド７が手動操作部４１と共に第１の位置から第２の位置に回動してラッチ部材６を施錠位置から解錠位置に移動させるので、第２の取っ手３２が操作可能な状態となる。
【００４０】
また、同じく図３に示すように、ラッチ部材６が解錠位置にある状態においては、ロック部材４２による手動操作方式により第２の取っ手３２を操作不能な状態にさせようとする場合、鍵（図示せず）の操作で操作ロッド７を第２の位置から第１の位置に回動させればよい。このようにして、ラッチ部材６を解錠位置から施錠位置に移動させることができるので、第２の取っ手３２が操作不能な状態となる。更に、このラッチ部材６が施錠位置にある状態において、ロック部材４２による手動操作方式により第２の取っ手３２を操作可能な状態にさせようとする場合、同様に鍵（図示せず）の操作で操作ロッド７を第１の位置から第２の位置に戻せばよい。このようにして、ラッチ部材６を施錠位置から解錠位置に移動させることができるので、第２の取っ手３２が操作可能な状態となる。
【００４１】
同様に図３に示すように、ラッチ部材６が解錠位置にある状態においては、電気駆動方式により第２の取っ手３２を操作不能な状態にさせようとする場合、リモコン（図示せず）、キーパッド８５１などの制御操作で電動駆動部８のモーター８１を作動させればよい。このようにして、モーター８１の作動による回転軸８１１の回転と共にウォームギア対８２、８３及び伝動ギア８４を順次に介して第２の回動子５６を図３に示すように第２の回動方向である矢印Ａ方向に回動させる。そして図４に示すように第２の突起５６５で第１の突起５５２を押すことにより、図５に示すように操作ロッド７、手動操作部４１を第１の回動子５５と共に第２の位置から第１の位置に移動させてラッチ部材６を解錠位置から施錠位置に移動させるので、第２の取っ手３２が操作不能な状態となる。
【００４２】
その上、第１の回動子５５が第１の位置に移動すると、図５から明らかなように、第２のアクチュエータ９３がセンシング素子９１を始動させ、電動駆動部８のモーター８１の作動を停止することができる。この時、慣性力によってモーター８１の回転軸８１１が暫く回転して第２の回動子５６を回動させる。そして第２の突起５６５が斜面の側辺５６５ａ、５６５ｂで変形可能な第１の突起５５２の弧状になった部分５５９を乗り越える。したがって、手動操作方式を行う場合に、第２の突起５６５が第１の突起５５２の移動の経路の邪魔になることがない。
【００４３】
逆に、このラッチ部材６が施錠位置にある状態においては、電気駆動方式により第２の取っ手３２を操作可能な状態にさせようとする場合、リモコン（図示せず）、キーパッド８５１などの制御操作で電動駆動部８のモーター８１を逆転作動させればよい。このようにして、モーター８１の逆転作動による回転軸８１１の回転と共にウォームギア対８２、８３及び伝動ギア８４を順次に介して第２の回動子５６を図５に示すように第１の回動方向である矢印Ｂ方向に回動させる。そして図６に示すように第２の突起５６５で第１の突起５５２を押すことにより、図３に示すように操作ロッド７、手動操作部４１を第１の回動子５５と共に第１の位置から第２の位置に戻してラッチ部材６を施錠位置から解錠位置に移動させるので、第２の取っ手３２が操作可能な状態となる。
【００４４】
その上、第１の回動子５５が第２の位置に戻ると、図３から明らかなように第１のアクチュエータ９２がセンシング素子９１を始動させて電動駆動部８のモーター８１の逆転作動を停止することができる。この時、慣性力によってモーター８１の回転軸８１１が暫く回転して第２の回動子５６を回動させる。そして第２の突起５６５が斜面の側辺５６５ａ、５６５ｂで変形可能な第１の突起５５２の弧状になった部分５５９を乗り越える。したがって、手動操作方式を行う場合に、第２の突起５６５が第１の突起５５２の移動の経路の邪魔になることがない。
【００４５】
なお、上述した本実施形態の説明によれば、第１の回動子５５に形成された第１の突起５５２を変形可能としたが、第１の突起５５２及び第２の回動子５６に形成された第２の突起５６５のうち少なくとも一方を変形可能に構成してもよい。また、上述した本実施の形態の説明によれば、第２の突起５６５を第１の回動子５５の方向へ突出させた例を説明したが、第１の突起５５２と第２の突起５６５とを第１の回動子５５及び第２の回動子５６の径方向に沿って設けてもよく、このような形態によれば、ケーシング２自体を薄くすることができるという効果を有する。
【００４６】
以上、本発明の好適な実施形態について説明したが、本発明は前記実施形態に限定して狭義に解釈されるものではなく、即ち本発明の精神の範囲内において種々の変形や変更が可能である。
【産業上の利用可能性】
【００４７】
本発明の電気錠は、第１の回動子と第２の回動子とが離脱状態と噛み合い状態との間の切り替えをせず、電動駆動方式の施解錠を円滑に行うことができるとともに、電動駆動部を制御するためのスイッチとしてスイッチ部材を１つだけ設ければよいので、電気錠の簡略化を実現することができる。
【図面の簡単な説明】
【００４８】
【図１】本実施形態の電気錠の分解斜視図である。
【図２】第１の回動子と第２の回動子を中心とした部分の分解斜視図である。
【図３】解錠状態を示す内部正面図である。
【図４】解錠状態から電気駆動方式による施錠途中の状態を示す内部正面図である。
【図５】電気駆動方式による施錠完成状態を示す内部正面図である。
【図６】施錠状態から電気駆動方式による解錠途中の状態を示す内部正面図である。
【図７】従来の電気錠における電動駆動部を中心とした部分を示す図である。
【符号の説明】
【００４９】
２        ケーシング
２１      内部分
２１１    基壁
２１２    側壁
２１３    収容空間
２１４    第１の穿孔
２２      外部分
２２０    第２の穿孔
２２２    係合溝
３１      第１の取っ手
３１１    シリンダー
３１２    ハンドル
３２      第２の取っ手
３２０    係合孔
３２１    シリンダー
３２２    ハンドル
４１      手動操作部
４１１    手動操作部の他端
４１２    手動操作部の一端
４１５    アーム
４２      ロック部材
４２０    鍵穴
５５      第１の回動子
５５１    リング
５５０    切欠部
５５１Ａ  内周面
５５１Ｂ  外周面
５５２    第１の突起
５５９    弧状になった部分
５６      第２の回動子
５６５    第２の突起
５６５ａ  第２の突起の側辺
５６５ｂ  第２の突起の側辺
６        ラッチ部材
６１      ラッチ板
７        操作ロッド
７１      操作ロッドの一端
７２      操作ロッドの他端
８        電動駆動部
８１      モーター
８１１    回転軸
８２,８３ ウォームギア対
８４      伝動ギア
８５１    キーパッド
９        スイッチ部材
９１      センシング素子
９２      第１のアクチュエータ
９３      第２のアクチュエータ
９４      回路基板
【図１】
2007315119.tif 000003
【図２】
2007315119.tif 000004
【図３】
2007315119.tif 000005
【図４】
2007315119.tif 000006
【図５】
2007315119.tif 000007
【図６】
2007315119.tif 000008
【図７】
2007315119.tif 000009